(57)【要約】【課題】  摩擦係数の高い被覆材による被覆層を設けたワイヤロープの異常を容易に検出できる被覆付きワイヤロープの異常検出装置を得る。【解決手段】  被覆付きワイヤロープ３の被覆表面及び内部の異常による凹凸発生によって、被覆表面に対向したローラ６が被覆付きワイヤロープ３の被覆表面に対して進退変位する。そして、磨耗等の進行により凹凸が激しくなりローラ６の進退変位による変位検出器８の出力値が所定値を超えると管理装置１０が動作する。  これによって、異常発生を所定の連絡先に報知し、またエレベーター等の装置を停止する異常時管理動作を行う。このため、被覆付きワイヤロープ３の目視点検作業を省き、また被覆付きワイヤロープ３の異常発生を容易に検出できて保守管理費を節減する。【選択図】        図１
2005189157.tif 000002
【特許請求の範囲】
【請求項１】
張設された被覆付きワイヤロープ、この被覆付きワイヤロープに対向した固定部に設けられた取付台と、この取付台に設けられて上記被覆付きワイヤロープに対して進退自在に装備された進退機構と、この進退機構の前端に枢着されて上記被覆付きワイヤロープに接して配置されたローラと、上記進退機構を上記被覆付きワイヤロープ方向に付勢する付勢体と、上記進退機構の進退変位量に対応した出力を発する変位検出器と、この変位検出器の出力値が所定値を超えたときに動作する管理装置とを備えた被覆付きワイヤロープの異常検出装置。
【請求項２】
取付台、進退機構、ローラ、付勢体及び変位検出器からなり、被覆付きワイヤロープの横断面が延長されて形成される平面において、上記被覆付きワイヤロープを中心として複数が放射状に配置された異常検出手段を備えたことを特徴とする請求項１記載の被覆付きワイヤロープの異常検出装置。
【発明の詳細な説明】
【技術分野】
【０００１】
この発明は、エレベーターの昇降体を吊持した主索等を対象とする被覆付きワイヤロープの異常検出装置に関する。
【背景技術】
【０００２】
従来のワイヤロープの異常検出装置においては、ワイヤロープの導入開口部がロープ径より大きく拡開されていると共に導出開口部に向かって徐々にその径が縮小し導出端開口部の径がほぼロープ径と等しい２分割された筒体である試験筒、ワイヤロープの導入端開口部から導出端開口部に向かって徐々にその径が縮小する形状に形成され、取付金によって固定されワイヤロープを収納した状態で分割された試験筒が内周面に差し込み装着されて試験筒を一体に組み付ける保持具が設けられる。
【０００３】
さらに、試験筒の外周面と接する保持具の内周面に埋設された圧力センサ、その圧力検出信号に基づいてワイヤロープの断線を判定するマイクロコンピュータ、マイクロコンピュータの判定出力に基づいてワイヤロープの断線を報知するブザーとが設けられる。そして、このような装置構成によりワイヤロープの目視点検又はウエス等を使った予備点検等を不要として素線破断の有無を安全かつ正確に点検するように構成されている。（例えば、特許文献１参照）。
【０００４】
【特許文献１】特開平８−１１９５３９号公報（要約、図１）
【発明の開示】
【発明が解決しようとする課題】
【０００５】
従来のワイヤロープの異常検出装置では、ワイヤロープの目視点検作業又はウエス等を使った予備点検作業を省くことができる。しかし、ポリウレタン樹脂等であって摩擦係数の高い被覆材による被覆付きワイヤロープを試験筒に挿通すると次に述べる事象が発生する。すなわち、試験筒にワイヤロープの被覆が接触したときに試験筒と被覆との摩擦が大きいため、圧力センサによる正常な検出結果が得られず誤検出が生じ易くなるという問題点があった。
【０００６】
この発明は、かかる問題点を解消するためになされたものであり、摩擦係数の高い被覆材による被覆層が設けられたワイヤロープの異常を容易に検出できる被覆付きワイヤロープの異常検出装置を得ることを目的とする。
【課題を解決するための手段】
【０００７】
この発明に係る被覆付きワイヤロープの異常検出装置においては、張設された被覆付きワイヤロープ、この被覆付きワイヤロープに対向した固定部に設けられた取付台と、この取付台に設けられて被覆付きワイヤロープに対して進退自在に装備された進退機構と、この進退機構の前端に枢着されて被覆付きワイヤロープに接して配置されたローラと、進退機構を被覆付きワイヤロープ方向に付勢する付勢体と、進退機構の進退変位量に対応した出力を発する変位検出器と、この変位検出器の出力値が所定値を超えたときに動作する管理装置とが設けられる。
【発明の効果】
【０００８】
この発明による被覆付きワイヤロープの異常検出装置は、被覆付きワイヤロープの被覆表面に対向してローラ、進退機構等とが相対移動可能に構成され、被覆付きワイヤロープにおけるワイヤロープの表面に被覆内部の素線磨耗粉堆積等による凹凸が生じている場合に、ローラが被覆付きワイヤロープの被覆表面に対して進退変位する。そして、磨耗等の進行によって磨耗粉の堆積が増し凹凸が激しくなり、凹凸によるローラの進退変位量に対応した変位検出器の出力値が所定値を超えることによって管理装置が動作する。
【０００９】
この管理装置の動作によって、被覆付きワイヤロープの異常発生を予め設定された連絡先に報知したり、エレベーター等の被覆付きワイヤロープを使用した装置を停止させたりする所要の異常時管理動作が行われる。したがって、被覆付きワイヤロープの目視点検作業を省くことができ、また摩擦係数の高い被覆材による被覆層が設けられた被覆付きワイヤロープの異常発生を容易に検出でき、被覆付きワイヤロープの保守管理費を節減する効果がある。
【００１０】
また、被覆付きワイヤロープの異常発生時に管理装置が動作することによって、異常発生が迅速に所定の連絡先に報知される等の異常時管理動作が行われる。これによって、被覆付きワイヤロープの異常発生に伴う二次的な故障を未然に防止することができ、エレベーター等の被覆付きワイヤロープを使用した装置の運転信頼性を向上する効果がある。
【発明を実施するための最良の形態】
【００１１】
実施の形態１．
図１及び図２は、この発明の実施の形態を示す図で、図１は正面図、図２は図１の平面図である。図において、ワイヤロープ１にポリウレタン樹脂等からなる被覆層２が被着されて、エレベーターの主索等として使用される被覆付きワイヤロープ３が形成される。そして、張設された被覆付きワイヤロープ３の被覆表面に対向した固定部（図示しない）に取付台４が設けられる。なお、取付台４は過大な負荷が作用したときに図１における中心の軸によって、後述する進退機構等からなる装置全体が固定部に対して上方又は下方に回動するように製作されている。
【００１２】
また、取付台４にシリンダーからなる進退機構５が設けられて、被覆付きワイヤロープ３に対して進退自在に装備される。そして、進退機構５の前端にローラ６が枢着されて被覆付きワイヤロープ３の被覆表面に接して配置される。また、取付台４とローラ６の枢着金具の間に圧縮コイルばねからなる付勢体７が配置されて、進退機構５を被覆付きワイヤロープ３方向に付勢する。
【００１３】
そして、進退機構５に変位センサからなる変位検出器８が設けられて、変位検出器８はローラ６の進退変位量、すなわち進退機構５の進退変位量に対応した出力を発する。なお、取付台４、進退機構５、ローラ６、付勢体７及び変位検出器８を主要構成部材として異常検出手段９が構成される。また、変位検出器８にマイクロコンピュータからなる管理装置１０が接続されて変位検出器８の出力値が所定値を超えたときに動作する。
【００１４】
また管理装置１０は、ローラ６すなわち被覆付きワイヤロープ３の新設時における進退機構５の検出位置を判断する機能、変位検出器８の出力値を一定期間記憶する機能、被覆付きワイヤロープ３の異常発生によって動作したときに予め設定された連絡先に異常発生を報知する機能及び被覆付きワイヤロープ３の異常発生時にエレベーター等の被覆付きワイヤロープ３を使用した装置を停止させる機能が設けられている。
【００１５】
上記のように構成された被覆付きワイヤロープの異常検出装置において、付勢体７によって付勢されたローラ６が、張設された被覆付きワイヤロープ３の被覆表面に常時押し付けられて、被覆付きワイヤロープ３の表面に対して滑りを生じることなく回転する。そして、この状態で被覆付きワイヤロープ３とローラ６、進退機構５等との間に相対移動が生じる。このときに、被覆付きワイヤロープ３の被覆表面に凹凸が生じている場合に、ローラ６が凹凸によって被覆付きワイヤロープ３に対して進退変位する。
【００１６】
なお、被覆付きワイヤロープ３被覆表面に生じる凹凸は、ワイヤロープ１のストランド破断、ワイヤロープ１内部の潤滑不良による素線磨耗粉の堆積、被覆層２の劣化による被覆磨耗粉の堆積等の異常発生に伴って発生する。そして、磨耗等の進行によって堆積が増し凹凸が激しくなる。
【００１７】
そして、このような異常発生に伴って被覆付きワイヤロープ３の被覆表面に生じた凹凸によるローラ６の進退変位量に対応した出力値を変位検出器８が発生する。そして、被覆付きワイヤロープ３の被覆表面の凹凸が増大して変位検出器８の出力値が所定値を超えることによって管理装置１０が動作する。
【００１８】
この管理装置１０の動作によって、被覆付きワイヤロープ３の異常発生を予め設定された連絡先に報知したり、エレベーター等の被覆付きワイヤロープ３を使用した装置を停止させたりする所要の異常時管理動作が行われる。したがって、被覆付きワイヤロープ３の目視点検作業を省くことができ、また摩擦係数の高い被覆材による被覆層２が設けられた被覆付きワイヤロープ３の異常発生を容易に検出でき、被覆付きワイヤロープ３の保守管理費を節減することができる。
【００１９】
また、被覆付きワイヤロープ３の異常発生時に管理装置１０が動作することによって、異常発生が迅速に所定の連絡先に報知される等の異常時管理動作が行われる。これによって、被覆付きワイヤロープ３の異常発生に伴う二次的な故障を未然に防止することができ、エレベーター等の被覆付きワイヤロープ３を使用した装置の運転信頼性を向上することができる。
【００２０】
また、過大な負荷が作用したときに取付台４が図１における中心の軸によって、異常検出手段９が上方又は下方に回動するように製作される。このため、被覆付きワイヤロープ３に発生した損傷が、ローラ６と変位検出器８による検出範囲を超えている場合に、過大損傷位置がローラ６位置を通過するときに異常検出手段９が回動する。これによって、被覆付きワイヤロープ３の過大損傷によって異常検出手段９が損壊することを未然に防ぐことができる。
【００２１】
また、エレベーター等の被覆付きワイヤロープ３を使用した装置のエンコーダ出力によるエレベーターの位置情報を、管理装置１０に入力して被覆付きワイヤロープ３の損傷発生位置を特定することができる。これによって、被覆付きワイヤロープ３の損傷対策作業を迅速化することができ、被覆付きワイヤロープ３を使用した装置の運転信頼性を向上することができる。
【００２２】
実施の形態２．
図３は、この発明の他の実施の形態を示す図で、前述の図２相当図である。なお図２の他は前述の図１及び図２の実施の形態と同様に被覆付きワイヤロープの異常検出装置が構成されている。図において、図１及び図２と同符号は相当部分を示し、被覆付きワイヤロープ３の横断面が延長されて形成される平面において六組の異常検出手段９が、被覆付きワイヤロープ３を中心として放射状に配置される。
【００２３】
上記のように構成された被覆付きワイヤロープの異常検出装置においても、付勢体７によってローラ６が張設された被覆付きワイヤロープ３に常時押し付けられ、また被覆付きワイヤロープ３の被覆表面の凹凸によってローラ６が進退変位する。そして、ローラ６の進退変位量に対応して変位検出器８が動作し、変位検出器８の出力値が所定値を超えると管理装置１０が動作する。したがって、詳細な説明を省略するが図３の実施の形態においても図１及び図２の実施の形態と同様な作用が得られる。
【００２４】
また図３の実施の形態において、六組の異常検出手段９が放射状に配置されるので被覆付きワイヤロープ３の横断面における全周について常時、被覆付きワイヤロープ３表面の凹凸状況を検出することができる。このため、一層有効にまた早期に被覆付きワイヤロープ３の異常を検出することができ、被覆付きワイヤロープ３の保守管理を高精度化することができる。
【図面の簡単な説明】
【００２５】
【図１】この発明の実施の形態１を示す正面図。
【図２】図１の平面図。
【図３】この発明の実施の形態２を示す図で、前述の図２相当図。
【符号の説明】
【００２６】
３  被覆付きワイヤロープ、４  取付台、５  進退機構、６  ローラ、７  付勢体、８  変位検出器、９  異常検出手段、１０  管理装置。
【図１】
2005189157.tif 000003
【図２】
2005189157.tif 000004
【図３】
2005189157.tif 000005